(57)【要約】      （修正有）【課題】いわゆるウェルカムボードは式場や宴会場に来賓を向かい入れてしまうと、その目的が終了され、その後は格別に何の使用用途もなく、経済的に非常に不利なものであったという点である。【解決手段】室内装飾体は透明なベースボードの表面に適宜形状をした有色のポリエステルフィルムを任意部位に積層し、そのポリエステルフィルムの周囲をリード線等の固定材で固定あるいは装飾材で装飾するとともに、残余の透明部位に対し、裏面から任意の文字や図柄等を有するシートを着脱交換自在に備え、かつ、そのシートを前記ベースボードとの間に抑え板で挟持してあることとし、前記した抑え板も透明なボードとしたこととし、前記した抑え板は鏡板としたこととし、前記したリード線は鉛により形成されていることとし、前記したベースボードの表面一部に立体的な鏡部材を固着してあることとする。【選択図】図３
0003122665.tif 000002
【実用新案登録請求の範囲】
【請求項１】
透明なベースボードの表面に適宜形状をした有色のポリエステルフィルムを任意部位に積層し、そのポリエステルフィルムの周囲をリード線等の固定材で固定あるいは装飾材で装飾するとともに、残余の透明部位に対し、裏面から任意の文字や図柄等を有するシートを着脱交換自在に備え、かつ、そのシートを前記ベースボードとの間に抑え板で挟持してあることを特徴とする室内装飾体。
【請求項２】
前記した抑え板も透明なボードとしたことを特徴とする請求項１に記載の室内装飾体。
【請求項３】
前記した抑え板は鏡板としたことを特徴とする請求項１に記載の室内装飾体。
【請求項４】
前記したリード線は鉛により形成されていることを特徴とする請求項１、請求項２または請求項３に記載の室内装飾体。
【請求項５】
前記したベースボードの表面一部に立体的な鏡部材を固着してあることを特徴とする請求項１、請求項２、請求項３または請求項４に記載の室内装飾体。
【考案の詳細な説明】
【技術分野】
【０００１】
本考案は室内装飾体、特に結婚式や披露宴等にあって、その入場口に配置され、来賓を向かい入れるメッセージを表示するいわゆるウェルカムボードに関し、そのウェルカムボードを初期の目的として使用後も多目的に使用することのできる室内装飾体に関する。
【背景技術】
【０００２】
従来より、前記したウェルカムボードは使用されており、各式場でそのデザインを変え、区別を付けている。また、従来のウェルカムボードはガラス板、アクリル板あるいは鏡板の表面あるいは裏面に文字をエッチングして形成してあるもので、当事者の式や宴が終了するとその目的を達成してしまい、廃棄されるか、当事者が記念品として持ち帰ること程度の用途しかなく、経済的な面では非常に無駄となってしまうことが多かった。
【特許文献１】本願考案に関し、出願人は先行する技術文献の調査を行なったが格別に本考案と類似すると思われる文献を発見することはできなかった。
【考案の開示】
【考案が解決しようとする課題】
【０００３】
本考案が解決しようとする問題点は、前記したいわゆるウェルカムボードは式場や宴会場に来賓を向かい入れてしまうと、その目的が終了され、その後は格別に何の使用用途もなく、経済的に非常に不利なものであったという点である。
【課題を解決するための手段】
【０００４】
上記した問題点を解決するため、本考案に係る室内装飾体は透明なベースボードの表面に適宜形状をした有色のポリエステルフィルムを任意部位に積層し、そのポリエステルフィルムの周囲をリード線等の固定材で固定あるいは装飾材で装飾するとともに、残余の透明部位に対し、裏面から任意の文字や図柄等を有するシートを着脱交換自在に備え、かつ、そのシートを前記ベースボードとの間に抑え板で挟持してあることを特徴とし、前記した抑え板も透明なボードとしたことを特徴とし、前記した抑え板は鏡板としたことを特徴とし、前記したリード線は鉛により形成されていることを特徴とし、前記したベースボードの表面一部に立体的な鏡部材を固着してあることを特徴としている。
【考案の効果】
【０００５】
本考案に係る室内装飾体は上記のように構成されている。そのためまず、シートをウェルカムボードの用のものとして使用した後は、式や披露宴の終了後来賓を送るためのサンクスボードとしてシートを入れ替えて使用でき、自宅に持ち帰った後はそのシート装着部分に各種の写真、例えば挙式時の写真、出産した子供と一緒の写真、子供の七五三の写真、入学時の写真を入れるフォトフレームとして使用できる。
【０００６】
加えて、窓辺等に配置し、後方から光を入れるとステンドグラス様の装飾としても利用でき、抑え板として鏡板を使用すれば、インテリアとしての鏡としても利用することができる等、多様な使用法が可能となり、経済的にも非常に有利な製品となる。
【考案を実施するための最良の形態】
【０００７】
図面として示す実施例のように構成することで実現した。
【実施例１】
【０００８】
次に、本考案の好ましい実施の一例を図面を参照して説明する。図１は本考案に係る室内装飾体を当初目的のウェルカムボードとしての使用状態を示す正面図、図２は同じく来賓を送り出す際のサンクスボードとしての使用状態を示す正面図、図３は同じく全体構造の部分断面図、図４は同じく立体的な鏡部材を示す斜視図である。
【０００９】
これらの図にあって１は透明なベースボードを示しており、このベースボード１は具体的には素通しのガラス板が用いられるがアクリル板等であってもよく、好みに応じ半透明のものを用いることもできるもので、本実施例にあってはこのベースボード１は矩形に形成されたものとなっている。
【００１０】
本実施例に係るベースボード１の表面には種々の色彩を有するポリエステルフィルム２・２‥が適宜形状に裁断され、花や木の葉等の模様を描き出し、中央部位にはハート形状をしたメッセージ等の表出部３を形成している。
【００１１】
また、前記したポリエステルフィルム２・２‥の周縁や表面にはそのポリエステルフィルム２・２‥を固定位置決めするための鉛を用いたリード線４・４‥が貼装され、かかるポリエステルフィルム２・２‥やリード線４・４‥の配設作業は手作業によって実行されるものとなっている。尚、このリード線４・４はその他のフィルムやカラーアクリル等の装飾材に代替することもできる。
【００１２】
さらに、本実施例にあっては前記したハート形状をした表出部３の上部にはピラミッド形状とした立体的な鏡部材５が固着されており、その鏡部材５に周域のポリエステルフィルム２・２‥の色彩や後述するメッセージ等が反映し、より豪華な雰囲気を醸し出すことができるように図られている。
【００１３】
そして、前記した表出部３の裏面には「ＷＥＬＣＯＭＥ」等とプリント記載されたシート６が接着テープ等の位置決め手段を用いて交換着脱自在に装備される。このシート６は好みの色彩を有するものが使用され、例えば光の反射で色彩が変化するレインボーカラー等を使用することも可能となる。前記した［ＷＥＬＣＯＭＥ］等とプリントしたシート６を使用することで本実施例に係る室内装飾体はいわゆるウェルカムボードとされる。
【００１４】
前記したシート６の裏面には例えば透明ガラス板やアクリルボード等の抑え板７があてがわれる。この抑え板７はベースボード１と略同サイズのものが使用され、シート６はこの抑え板７とベースボード１との間に挟持されることとなる。
【００１５】
このベースボード１と抑え板との間にシート６が挟持された状態でその全体が枠（額縁）８に納められ、固定金具等によって固定され、イーゼル等を用いて式場や会場の入口に飾られることとなる。
【００１６】
前記したシート６は来賓の入場後に例えば「本日は有難う御座いました」等の表記がされた別異のシート６に交換され、来賓が退場する際に出口へ飾ることでいわゆるサンクスボードとして使用することができる。
【００１７】
本考案に係る室内装飾体は上記のようにシート６を交換着脱自在として利用できるもので、挙式後には自宅にあってフォトフレームとして利用することが可能であり、この写真には挙式のものは勿論、時間の経過とともに出産後の子供と一緒のもの、子供の七五三や入学時のもの等任意に利用できる。
【００１８】
また、この室内装飾体を窓辺において、日光を透過させるとステンドグラスとしての利用もできることとなり、抑え板７として鏡体を用いればインテリアとしての装飾用の鏡としての利用も可能となる。
【産業上の利用可能性】
【００１９】
本考案に係る室内装飾体は上記のように構成されているので結婚式のみならず、褒章の記念やホールインワン等をはじめとする各種の記念パーティ等にも応用実施でき、また、形体も平板なもののみならず、パイプ状、ハーフパイプ、波板状等に変形することで、さらにその装飾性を増強させることが可能となる。
【図面の簡単な説明】
【００２０】
【図１】本考案に係る室内装飾体を当初目的のウェルカムボードとしての使用状態を示す正面図である。
【図２】来賓を送り出す際のサンクスボードとしての使用状態を示す正面図である。
【図３】全体構造の部分断面図である。
【図４】立体的な鏡部材を示す斜視図である。
【符号の説明】
【００２１】
１    ベースボード
２    ポリエステルフィルム
３    表出部
４    リード線
５    鏡部材
６    シート
７    抑え板
８    枠
【図１】
0003122665.tif 000003
【図２】
0003122665.tif 000004
【図３】
0003122665.tif 000005
【図４】
0003122665.tif 000006